【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】  反応ガスマニホールドＡ、ＢおよびＣを構成する貫通孔ａ、ｂおよびｃと、前記貫通孔ａおよびｂに導通するガス流路ａｂと、前記貫通孔ｂおよびｃに導通するガス流路ｂｃとを備えたセパレータを用いることと、前記反応ガスマニホールドＡ、ＢおよびＣを、外部ガス供給路または外部ガス排出路に接続することとを特徴とする燃料電池。
【請求項２】  反応ガスマニホールドＡ、Ｂ、ＣおよびＤを構成する貫通孔ａ、ｂ、ｃおよびｄと、前記貫通孔ａおよびｂに導通するガス流路ａｂと、前記貫通孔ｃおよびｄに導通するガス流路ｃｄとを備え、前記貫通孔ａ、ｂおよび前記ガス流路ａｂで構成されるガス供給排出経路ＡＢと、前記貫通孔ｃ、ｄおよび前記ガス流路ｃｄで構成されるガス供給排出経路ＣＤとを備えたセパレータを用いることと、前記ガス供給排出経路ＡＢおよびＣＤが交点を備えないことと、前記反応ガスマニホールドＡ、Ｂ、ＣおよびＤを、同種のガス用の外部ガス供給路または外部ガス排出路に導通することとを特徴とする燃料電池。
【手続補正２】
【補正対象書類名】明細書
【補正対象項目名】００１７
【補正方法】変更
【補正の内容】
【００１７】
【課題を解決するための手段】
本発明の燃料電池システムにおいては、前記外部ガス供給路、前記外部ガス排出路または前記反応ガスマニホールドに開閉手段を備えることと、この開閉手段を開けること、あるいは閉じることによって、複数のガス供給排出経路を直列または並列に導通することが好ましい。
【手続補正３】
【補正対象書類名】明細書
【補正対象項目名】００１８
【補正方法】変更
【補正の内容】
【００１８】
反応ガスマニホールドに開閉手段を備え、この開閉手段を開閉することにより、複数のガス流路を直列または並列に用いてガスを流すことができるので、ガス流量に応じてガス流路内のガス流速および圧力損失を制御することが可能となる。したがって、燃料電池のエネルギー効率を広い範囲の出力での運転で高くすることができる。
【手続補正４】
【補正対象書類名】明細書
【補正対象項目名】００１９
【補正方法】変更
【補正の内容】
【００１９】
本発明の燃料電池システムにおいては、反応ガスマニホールドに開閉手段を備え、この開閉手段を開閉する燃料電池システムに関するものであって、複数の反応ガスマニホールドを開閉手段が備えられたガス流通路にそれぞれ導通することが好ましい。
【手続補正５】
【補正対象書類名】明細書
【補正対象項目名】００２０
【補正方法】変更
【補正の内容】
【００２０】
複数の反応ガスマニホールドを開閉手段が備えられたガス流通路にそれぞれ導通することにより、ガス流通路に備えられた開閉手段を開けること、あるいは閉じることことによって、ガス流路のガスが流れる方向を変えずに、複数のガス供給排出経路を直列または並列に導通させることができる。
【手続補正６】
【補正対象書類名】明細書
【補正対象項目名】００６７
【補正方法】変更
【補正の内容】
【００６７】
図１は、本発明の燃料電池システムの一例として、空気の供給または排出をおこなうための反応ガスマニホールドを３個設けた燃料電池スタックを１個備えた燃料電池システムを示す。
【手続補正７】
【補正対象書類名】明細書
【補正対象項目名】００７３
【補正方法】変更
【補正の内容】
【００７３】
図１２は、請求項２記載の燃料電池を用いた燃料電池システムの一例として、空気の供給または排出をおこなうための反応ガスマニホールドを４個備えた燃料電池スタックを１個備えた燃料電池システムを示す。
【手続補正８】
【補正対象書類名】明細書
【補正対象項目名】００８０
【補正方法】変更
【補正の内容】
【００８０】
図１５は、請求項２記載の燃料電池を用いた燃料電池システムの一例として、空気の供給または排出をおこなうための反応ガスマニホールドが４個ある燃料電池スタックを１個備えた燃料電池システムを示す。
【手続補正９】
【補正対象書類名】明細書
【補正対象項目名】００８７
【補正方法】変更
【補正の内容】
【００８７】
図１８は、本発明の燃料電池システムの一例として、空気の供給または排出をおこなうための反応ガスマニホールドを２個設けた燃料電池スタックを２個備え、これらの燃料電池スタックがガス流通路で導通された燃料電池システムを示す。
【手続補正１０】
【補正対象書類名】明細書
【補正対象項目名】０１０６
【補正方法】変更
【補正の内容】
【０１０６】
本発明の燃料電池システムにおいては、前記外部ガス供給路、前記外部ガス排出路または前記反応ガスマニホールドに開閉手段を備えることと、この開閉手段を開けること、あるいは閉じることによって、複数のガス供給排出経路を直列または並列に導通することとが好ましい。
【手続補正１１】
【補正対象書類名】明細書
【補正対象項目名】０１０７
【補正方法】変更
【補正の内容】
【０１０７】
本発明の燃料電池システムにおいては、請求項３記載の燃料電池システムにおいて、複数の反応ガスマニホールドを開閉手段が備えられたガス流通路にそれぞれ導通することが好ましい。
【手続補正１２】
【補正対象書類名】明細書
【補正対象項目名】０１０８
【補正方法】変更
【補正の内容】
【０１０８】
本発明の燃料電池においては、反応ガスマニホールドを構成する貫通孔ａと、ｂと、ｃと、貫通孔ａおよびｂに導通するガス流路ａｂと、貫通孔ｂおよびｃに導通するガス流路ｂｃとを備えることが好ましく、前記貫通孔ｂがアノードおよびカソードの周縁部に設けられたセパレータを用いることが好ましい。
【手続補正１３】
【補正対象書類名】明細書
【補正対象項目名】０１０９
【補正方法】変更
【補正の内容】
【０１０９】
本発明の燃料電池および燃料電池スタックにおいては、カソードの供給または排出、アノードのガスの供給または排出の両方に、複数の反応ガスマニホールドと、前記反応ガスマニホールドに導通された外部ガス供給路および外部ガス排出路とをそれぞれ備え、前記外部ガス供給路、前記外部ガス排出路または／および前記反応ガスマニホールドに開閉手段がそれぞれ設けられ、この開閉手段をそれぞれ開閉することによって、複数のガス供給排出経路を直列または並列に導通させることが好ましい。
【手続補正１４】
【補正対象書類名】明細書
【補正対象項目名】０１１０
【補正方法】変更
【補正の内容】
【０１１０】
本発明の燃料電池システムにおいては、外部ガス供給路から外部ガス排出路までのガスが流れる部分の少なくとも１箇所のガス流速値、ガス流量値または／およびガス圧力値を測定する手段を備えることが好ましい。
【手続補正１５】
【補正対象書類名】明細書
【補正対象項目名】０１１１
【補正方法】変更
【補正の内容】
【０１１１】
本発明の燃料電池システムにおいては、外部ガス供給路、反応ガスマニホールド、ガス流路または外部ガス排出路の部分のいずれかに、少なくとも１個のガス流速値、ガス流量値または／およびガス圧力値を測定する手段を備えることが好ましい。
【手続補正１６】
【補正対象書類名】明細書
【補正対象項目名】０１１２
【補正方法】変更
【補正の内容】
【０１１２】
本発明の燃料電池システムにおいては、それに設けられた開閉手段が、前記のガス流速値、ガス流量値または／およびガス圧力値を測定する手段をもちいて測定されたガス流速値または圧力値にしたがって開閉するものであること、または設定したプログラムに沿って開閉するものであることが好ましい。
【手続補正１７】
【補正対象書類名】明細書
【補正対象項目名】０１３９
【補正方法】変更
【補正の内容】
【０１３９】
【発明の効果】
本発明の請求項１の発明によれば、ガス流量の増減にしたがって、複数のガス流路を直列または並列に導通することによって、フラッディング現象の発生と圧力損失の増大とを防ぐことができる。したがって、広い範囲の出力でエネルギー効率の高い運転が可能である。
【手続補正１８】
【補正対象書類名】明細書
【補正対象項目名】０１４０
【補正方法】変更
【補正の内容】
【０１４０】
本発明の請求項２の発明によれば、ガス流量の増減にしたがって、ガス流速と圧力損失とを制御できることに加えて、ガス流路のガスの流れる方向を一定に保つことができる。つまり、ガスを常に重力と一致した方向に保つことができるので、フラッディング現象の抑制が可能になる。
【手続補正１９】
【補正対象書類名】図面
【補正対象項目名】図９
【補正方法】変更
【補正の内容】
【図９】
2004087457.tif 000001